(57)【要約】      （修正有）【課題】コンロの加熱部分を遮蔽することができ、幼児が調理器具の取手を掴んで調理器具を幼児の方向に落下させることを防ぐことができるコンロ用隔壁装置を提供する。【解決手段】コンロ用隔壁装置は、コンロＳ上面の左右側と後側に乗せられる略コ字状の固定枠体１と、固定枠体と略重なる略コ字状の回動隔壁２と、からなり、固定枠体の左側の左側部材１２と右側の右側部材１３に、それぞれ回動部３が設けられ、回動隔壁の左側の左脚部材２２と右側の右脚部材２３に、それぞれ回動受部３１が設けられ、左脚部材２２の回動受部３１が左側部材１２の回動部３に回動可能に軸支され、右脚部材２３の回動受部３１が右側部材１３の回動部３に回動可能に軸支され、回動隔壁が、固定枠体に、前後に亘って回動可能に軸支されている。【選択図】図１
0003217381.tif 000002
【実用新案登録請求の範囲】
【請求項１】
コンロ上面の左右側と後側に乗せられる略コ字状の固定枠体と、該固定枠体と略重なる略コ字状の回動隔壁と、からなり、
該固定枠体の左側の左側部材と右側の右側部材に、それぞれ回動部が設けられ、
該回動隔壁の左側の左脚部材と右側の右脚部材に、それぞれ回動受部が設けられ、
該左脚部材の該回動受部が該左側部材の該回動部に回動可能に軸支され、該右脚部材の該回動受部が該右側部材の該回動部に回動可能に軸支され、
該回動隔壁が、該固定枠体に、前後に亘って回動可能に軸支されていることを特徴とするコンロ用隔壁装置。
【請求項２】
前記回動部は、それぞれ、前記左側部材と前記右側部材の前側端部より後方にずらした位置に設けられていることを特徴とする請求項１に記載のコンロ用隔壁装置。
【請求項３】
前記回動隔壁は、その一部または全部を耐熱強化ガラスから形成されたものであることを特徴とする請求項１に記載のコンロ用隔壁装置。
【請求項４】
前記回動隔壁のコンロの前側部に回動させたときの下側の端辺が、コンロ上面に密接するものであることを特徴とする請求項１に記載のコンロ用隔壁装置。
【請求項５】
前記固定枠体のコンロに接する下側の端部に磁石が備えられたものであることを特徴とする請求項１に記載のコンロ用隔壁装置。
【考案の詳細な説明】
【技術分野】
【０００１】
本考案は、調理器具の転倒などを防ぐコンロ用隔壁装置に関する。
【背景技術】
【０００２】
調理などに使用されるコンロ（焜炉）は、使用者である大人が使用しやすいように、台所の床下から７０〜１００ｃｍの高さの位置に設置される。このコンロが設置される高さは、幼児が手を伸ばして手を掛けることができる高さである。幼児は、調理器具の転倒による火傷や怪我を想像できないため、調理器具の取手を掴んで調理器具を転倒させるおそれがある。調理器具を転倒させた場合には、調理器具や被調理物が幼児に降り掛かり、幼児が火傷や怪我を負うおそれがあった。
【０００３】
幼児の火傷や怪我を防ぐために、特許文献１には、上面と前面を開口した凹所の底面に、コンロが設置され、凹所の前面開口部に、脱着可能に設置されたコンロ用隔壁装置が記載されている。このコンロ用隔壁装置は、幼児によって、調理器具が転倒させられたときに、コンロ用隔壁装置によって前面を仕切られた空間に、調理器具の中の被調理物が留められ、被調理物が幼児に降り掛かることを抑制し、幼児が火傷を負うことを防ぐことができるものである。
【先行技術文献】
【特許文献】
【０００４】
【特許文献１】特開平９−２６２１４５号公報
【考案の概要】
【考案が解決しようとする課題】
【０００５】
しかし、特許文献１に記載されたコンロ用隔壁装置は、調理器具の中の被調理物が幼児に降り掛かることを抑制することができるものの、調理器具の取手が依然として幼児の手に届く範囲にあるため、幼児が調理器具の取手を掴んだ際には、調理器具が被調理物もろとも幼児の方向に落下し、幼児が火傷や怪我を負うおそれがあるという課題があった。
【０００６】
本考案は、これらの課題を解決するものであり、コンロの加熱部分を遮蔽することができ、幼児が調理器具の取手を掴んで調理器具を幼児の方向に落下させることを防ぐことができるコンロ用隔壁装置を提供すること、を目的とする。
【課題を解決するための手段】
【０００７】
本考案に係るコンロ用隔壁装置は、コンロ上面の左右側と後側に乗せられる略コ字状の固定枠体と、該固定枠体と略重なる略コ字状の回動隔壁と、からなり、
該固定枠体の左側の左側部材と右側の右側部材に、それぞれ回動部が設けられ、
該回動隔壁の左側の左脚部材と右側の右脚部材に、それぞれ回動受部が設けられ、
該左脚部材の該回動受部が該左側部材の該回動部に回動可能に軸支され、該右脚部材の該回動受部が該右側部材の該回動部に回動可能に軸支され、
該回動隔壁が、該固定枠体に、前後に亘って回動可能に軸支されていることを特徴とする。
【０００８】
本考案のコンロ用隔壁装置によれば、回動隔壁が、該固定枠体に、前後に亘って回動可能に軸支されており、コンロの加熱部分の前面に配置されることによって、コンロの加熱部分を外側から隔離することができる。また、コンロで使用される調理器具は、調理器具の取手が回動隔壁の内側の、幼児の手に届かない範囲に収められるため、幼児が調理器具の取手を掴んで調理器具を幼児の方向に落下させることを防ぐことができる。
【０００９】
ここで、前記回動部は、それぞれ、前記左側部材と前記右側部材の前側端部より後方にずらした位置に設けられているものとすることができる。
【００１０】
これによれば、回動部が左側部材と右側部材の前側端部側より後方にずらした位置に設けられているため、回動隔壁を回動させるときに、固定枠体もろとも回動してコンロ用隔壁装置がコンロから外れることを防ぐことができる。
【００１１】
また、前記回動隔壁は、その一部または全部を耐熱強化ガラスから形成されたものとすることができる。
【００１２】
これによれば、外側から回動隔壁越しにコンロの加熱部分を視認することができる。
【００１３】
また、前記回動隔壁のコンロの前側部に回動させたときの下側の端辺が、コンロ上面に密接するものとすることができる。
【００１４】
これによれば、振動などの理由により、調理器具が傾き、調理器具の内容物である被調理物がコンロ上面にこぼれたときであっても、回動隔壁の下側の端辺がコンロ上面に密接しているため、すぐさまコンロ前面にこぼれることを防止することができる。
【００１５】
また、前記固定枠体のコンロに接する下側の端部に磁石が備えられたものとすることができる。
【００１６】
これによれば、コンロ用隔壁装置は、固定枠体の磁石の磁力によって、コンロに付着させることができ、脱着も可能である。このため、コンロの掃除を容易にすることができる。
【考案の効果】
【００１７】
本考案のコンロ用隔壁装置によれば、回動隔壁が、該固定枠体に、前後に亘って回動可能に軸支されており、コンロの加熱部分の前面に配置されることによって、コンロの加熱部分を外側から隔離することができる。また、コンロで使用される調理器具は、調理器具の取手が回動隔壁の内側の、幼児の手に届かない範囲に収められるため、幼児が調理器具の取手を掴んで調理器具を幼児の方向に落下させることを防ぐことができる。
【図面の簡単な説明】
【００１８】
【図１】本考案の一実施形態のコンロ用隔壁装置の回動隔壁をコンロの後側部に配置させた状態の正面図である。
【図２】同コンロ用隔壁装置の回動隔壁をコンロの後側部に配置させた状態の平面図である。
【図３】同コンロ用隔壁装置の回動隔壁をコンロの後側部に配置させた状態の斜視図である。
【図４】同コンロ用隔壁装置の回動隔壁をコンロの後側部に配置させた状態の右側面図である。
【図５】同コンロ用隔壁装置の回動隔壁をコンロの前側部に配置させた状態の右側面図である。
【考案を実施するための形態】
【００１９】
以下、本考案の一実施形態を図面に基づいて説明する。図１〜３に示すように、実施形態のコンロ用隔壁装置１００は、コンロＳ上面の左右側と後側に乗せられる略コ字状の固定枠体１と、固定枠体１と略重なる略コ字状の回動隔壁２と、からなり、固定枠体１の左側の左側部材１２と右側の右側部材１３に、それぞれ回動部３，３が設けられ、回動隔壁２の左側の左脚部材２２と右側の右脚部材２３に、それぞれ回動受部３１，３１が設けられ、左脚部材２２の回動受部３１が左側部材１２の回動部３に回動可能に軸支され、右脚部材２３の回動受部３１が右側部材１３の回動部３に回動可能に軸支され、回動隔壁２が、固定枠体１に、前後に亘って回動可能に軸支されている。なお、本明細書において、図３に示すように、コンロ用隔壁装置１００の各部の前後は、コンロＳに設置した状態での前後であり、前が使用者側で、後がその逆側である。左右は、使用者から見た左右であり、上下は、コンロＳに設置した状態での上下である。
【００２０】
実施形態のコンロ用隔壁装置１００は、図５に示すように、回動隔壁２が前側方向に回動され、コンロＳの加熱部分の前面に配置されることにより、コンロＳの加熱部分を外側から隔離することができる。また、図３に示すように、回動隔壁２をコンロＳの後側部に配置させることによって、コンロＳの前側に調理スペースを確保することができる。なお、実施形態のコンロ用隔壁装置１００では、回動隔壁２をコンロＳの後側部に配置させたとき、回動隔壁２が固定枠体１の外側に配置される構成としたが、回動隔壁２が固定枠体１の内側に配置される構成としても良い。
【００２１】
固定枠体１は、図１〜３に示すように、コンロＳの上面の左側部、後側部及び右側部に亘る略コ字状の金属板から形成され、後側部の後側部材１１と、後側部材１１の左端部から前方に伸びる左側部材１２と、後側部材１１の右端部から前方に伸びる右側部材１３と、から構成される。
【００２２】
固定枠体１の下側の端部には、図示しない、磁石が備えられている。固定枠体１に磁石が備えられていることにより、コンロ用隔壁装置１００は、磁石の磁力によって、コンロＳに付着させることができ、脱着も容易なものとなる。脱着が容易であるため、コンロＳの表面の掃除を容易に行うことができる。また、固定枠体１の磁石は、上方向に持ち上げて移動させることにより、簡単にコンロＳの上面から取り外すことができるが、下方向又は水平方向の移動によっては、コンロＳから取り外すことができない。つまり、コンロＳの設置位置の上方から操作することができる大人にとっては、簡単にコンロ用隔壁装置１００を取り外すことができるが、下方からしか届かない幼児にとっては、コンロＳから取り外すことができないようになっている。
【００２３】
図２に示すように、固定枠体１の、左側部材１２の前後方向略中央位置Ｐに回動隔壁２の回動軸となる回動部３が設けられ、右側部材１３の前後方向略中央位置Ｐに回動隔壁２の回動軸となる回動部３が設けられ、回動隔壁２が回動部３，３を中心に回動可能に取り付けられている。回動部３，３が、左側部材１２と右側部材１３の前後方向の端部側ではなく、前後方向略中央位置Ｐに設けられていることによって、左側部材１２と右側部材１３の回動が抑制され、回動隔壁２の回動の際に、固定枠体１もろとも回動して、コンロ用隔壁装置１００がコンロＳから外れることを防ぐことができる。つまり、回動部３，３が左側部材１２と右側部材１３の前後方向の端部側ではなく前後方向略中央位置Ｐに設けられていることと、固定枠体１の下側の端部に備えられた磁石の磁力によって、コンロ用隔壁装置１００がコンロＳから容易に外れることを防止している。
【００２４】
回動隔壁２は、略コ字状の隔壁であり、図２，３に示すように、左右方向に亘る主隔壁２１と、主隔壁２１の左側に接合され回動部３に軸支される回動受部３１が設けられた略Ｌ字状の左脚部材２２と、主隔壁２１の右側に接合され回動部３に軸支される回動受部３１が設けられた略Ｌ字状の右脚部材２３と、から構成される。
【００２５】
主隔壁２１は、耐熱強化ガラス（ＪＩＳ  Ｒ  ３２２３）から形成される。これにより、主隔壁２１は、コンロＳの加熱部分の前面に配置されたときに、熱により破損されることなく、コンロＳの加熱部分を外側から隔離することができ、外側から主隔壁２１越しにコンロＳの加熱部分を視認することができる。
【００２６】
図２，３に示すように、左脚部材２２と右脚部材２３は、それぞれ補強プレート２６によって、主隔壁２１を挟持し、ボルト止めされることによって、回動隔壁２が形成される。左脚部材２２と右脚部材２３の回動受部３１から主隔壁２１への方向の、回動受部３１から離れた位置に、回動隔壁２を手動で回動可能とする取手２５が、回動隔壁２の外側方向に突設されている。
【００２７】
主隔壁２１（回動隔壁２）は、コンロＳの前側部に回動させたときの下側の端辺がコンロＳの上面と密接する。これにより、振動などの理由により、調理器具が傾き、調理器具の内容物である被調理物がコンロＳの上面にこぼれたときであっても、主隔壁２１の下側の端辺がコンロＳの上面と密接しているため、すぐさまコンロＳの前面にこぼれることを防止することができる。なお、コンロＳの前側部に回動させたときの下側の端辺は、シリコーンゴムなどの緩衝材で覆うことができる。これにより、主隔壁２１がコンロＳの上面に勢い良く衝突した場合であっても、主隔壁２１に割れが生じることや欠損が生じることを防止することができる。また、主隔壁２１は、緩衝材によってコンロＳの上面に隙間なく密接することができるため、調理器具が傾き、調理器具の内容物である被調理物がコンロＳの上面にこぼれたときに、コンロＳの前面にこぼれることを確実に防止することができる。なお、緩衝材には、フッ素ゴム、アクリルゴム、ウレタンゴム等も使用することができるが、耐熱性に優れるものを使用することが好ましい。
【００２８】
左脚部材２２と右脚部材２３は、主隔壁２１の左右のそれぞれの側の端部に接合され、それぞれ回動部３に軸支される回動受部３１，３１が設けられ、回動部３，３に軸支される略Ｌ字状の部材である。回動隔壁２は、左脚部材２２の回動受部３１が固定枠体１の左側部材１２の回動部３に回動可能に軸支され、右脚部材２３の回動受部３１が固定枠体１の右側部材１３の回動部３に回動可能に軸支されるように取り付けられる。これにより、回動隔壁２が、固定枠体１に、前後に亘って回動可能に軸支される。実施形態の回動部３，３と回動受部３１，３１には、回動に要する力を小さくすることができるトルクヒンジ３２を用いた。
【００２９】
コンロ用隔壁装置１００が使用されるコンロＳは、システムキッチンのビルトインコンロ、据え置きタイプのコンロ、どちらであっても使用することができるが、隣接する作業台と一体化され、平面部分を広くとることができるビルトインコンロがより好ましい。
【００３０】
次に、実施形態のコンロ用隔壁装置１００の使用方法を図面に基づいて説明する。
【００３１】
図１〜３は、システムキッチンのビルトインコンロ（コンロＳ）にコンロ用隔壁装置１００を設置した態様である。図２に示すように、回動隔壁２をコンロＳの加熱部分の前面側に回動させたとき（図２破線部）にコンロＳの五徳に干渉しない位置に、かつ、コンロＳの前後方向における中央部に回動部３が配置されるように、コンロ用隔壁装置１００を設置する。このとき、固定枠体１のコンロＳに接する面に磁石が備えられているため、コンロ用隔壁装置１００は、磁石の磁力によって、コンロＳに付着させることができる。
【００３２】
コンロ用隔壁装置１００を設置したコンロＳを使用して、炒めものなどの調理を行う場合には、回動隔壁２をコンロＳの後側部に収納させる（図１）。これにより、コンロＳの前側に調理スペースが確保されるため、コンロ用隔壁装置１００の存在によって調理が妨げられることはない。
【００３３】
煮込み料理などの調理の際であって、鍋などに長時間火をかけっぱなしにする場合には、図５に示すように、回動隔壁２をコンロＳの加熱部分の前面側に回動させる。このとき、固定枠体１の回動部３，３と回動隔壁２の回動受部３１，３１には、トルクヒンジ３２が用いられているため、回動に要する力を小さくすることができる。
【００３４】
回動隔壁２の回動の際、図４に示すように、回動隔壁２は、回動部３を中心に後側部から上方に弧を描いて前側部に回動するため、調理器具の取手などが弧の外側にはみ出ている場合には、これら取手などに干渉し、回動が妨げられる。つまり、回動隔壁２を後側部から前側部に回動させるとき、調理器具の取手などが弧の内側に収められていないと、回動隔壁２がコンロＳの前側部である加熱部分の前側に配置することができないため、使用者は、調理器具の取手などをコンロＳの内側に収めることになる。これにより、コンロＳの調理器具は、調理器具の取手が回動隔壁の内側の、幼児の手に届かない範囲に収められるため、幼児が調理器具の取手を掴んで調理器具を幼児の方向に落下させることを防ぐことができる。
【００３５】
固定枠体１は、回動部３，３が、左側部材１２と右側部材１３の前後方向の端部側ではなく、前後方向略中央位置Ｐに設けられている。このため、左側部材１２と右側部材１３の回動が抑制され、回動隔壁２の回動の際に、固定枠体１もろとも回動してコンロ用隔壁装置１００がコンロＳから外れることを防ぐことができる。また、固定枠体１は、磁石の磁力によってコンロＳに付着され、上方向に移動させることにより、簡単にコンロＳから取り外すことができるが、下方向又は水平方向の移動によっては、コンロＳから取り外すことができない。つまり、コンロＳの設置位置の上方から操作することができる大人にとっては、簡単にコンロ用隔壁装置１００を取り外すことができるが、下方からしか届かない幼児にとっては、コンロＳから取り外すことができない。
【００３６】
以下に、実施形態から把握される技術的思想を記載する。
【００３７】
本考案に係るコンロ用隔壁装置１００は、コンロＳ上面の左右側と後側に乗せられる略コ字状の固定枠体１と、固定枠体１と略重なる略コ字状の回動隔壁２と、からなり、
固定枠体１の左側の左側部材１２と右側の右側部材１３に、それぞれ回動部３，３が設けられ、
回動隔壁２の左側の左脚部材２２と右側の右脚部材２３に、それぞれ回動受部３１，３１が設けられ、
左脚部材２２の回動受部３１が左側部材１２の回動部３に回動可能に軸支され、右脚部材２３の回動受部３１が右側部材１３の回動部３に回動可能に軸支され、
回動隔壁２が、固定枠体１に、前後に亘って回動可能に軸支されていることを特徴とする。
【００３８】
本考案のコンロ用隔壁装置１００によれば、回動隔壁２が、コンロＳの加熱部分の前面に配置されることによって、コンロＳの加熱部分を外側から隔離することができる。また、コンロＳで使用される調理器具は、調理器具の取手が回動隔壁２の内側の、幼児の手に届かない範囲に収められるため、幼児が調理器具の取手を掴んで調理器具を幼児の方向に落下させることを防ぐことができる。
【００３９】
ここで、回動部３，３は、それぞれ、左側部材１２と右側部材１３の前側端部より後方にずらした位置に設けられているものとすることができる。
【００４０】
これによれば、回動部３，３が左側部材１２と右側部材１３の端部側ではなく中央部側に設けられているため、回動隔壁２を回動させるときに、固定枠体１もろとも回動してコンロ用隔壁装置１００がコンロＳから外れることを防ぐことができる。
【００４１】
また、回動隔壁２は、その一部または全部を耐熱強化ガラスから形成されたものとすることができる。
【００４２】
これによれば、外側から回動隔壁２越しにコンロＳの加熱部分を視認することができる。
【００４３】
また、回動隔壁２のコンロＳの前側部に回動させたときの下側の端辺が、コンロＳ上面に密接するものとすることができる。
【００４４】
これによれば、振動などの理由により、調理器具が傾き、調理器具の内容物である被調理物がコンロＳ上面にこぼれたときであっても、回動隔壁２の下側の端辺がコンロＳ上面に密接しているため、すぐさまコンロＳ前面にこぼれることを防止することができる。
【００４５】
また、固定枠体１のコンロＳに接する下側の端部に磁石が備えられたものとすることができる。
【００４６】
これによれば、コンロ用隔壁装置１００は、固定枠体１の磁石の磁力によって、コンロＳに付着させることができ、脱着も可能である。このため、コンロＳの掃除を容易にすることができる。
【符号の説明】
【００４７】
１…固定枠体、２…回動隔壁、３…回動部、１１…後側部材、１２…左側部材、１３…右側部材、２１…主隔壁、２２…左脚部材、２３…右脚部材、２５…取手、２６…補強プレート、３１…回動受部、３２…トルクヒンジ、１００…コンロ用隔壁装置、Ｐ…略中央位置、Ｓ…コンロ。
【図１】
0003217381.tif 000003
【図２】
0003217381.tif 000004
【図３】
0003217381.tif 000005
【図４】
0003217381.tif 000006
【図５】
0003217381.tif 000007